(57)【要約】    【課題】  ラップフィルムの端部を簡単に指で摘み取れるようにして、ラップフィルム箱本体から容易に取り出すことが出来るラップフィルム用収納箱を提供する。    【解決手段】  ロール状に巻かれたラップフィルムを収納するための箱本体と、箱本体の開口を開閉するための蓋体と、箱本体から引き出されたラップフィルムをカットするためのカッターとが備えられたラップフィルム用収納箱において、箱本体における該箱本体から引き出されているラップフィルムの先端部と対応する位置に、箱本体の外面に対して内方に窪んでなる指挿入凹部の形成部を設けると共に、カッターを蓋の先端に設けた。  【選択図】  図１
2005247403.tif 000002
【特許請求の範囲】
【請求項１】
ロール状に巻かれたラップフィルムを収納するための箱本体と、箱本体の開口を開閉するための蓋体と、箱本体から引き出されたラップフィルムをカットするためのカッターとが備えられたラップフィルム用収納箱において、箱本体における該箱本体から引き出されているラップフィルムの先端部と対応する位置に、箱本体の外面に対して内方に窪んでなる指挿入凹部の形成部が設けられていることを特徴とするラップフィルム用収容箱。
【請求項２】
指挿入凹部が、ラップフィルムの先端縁の長さ方向中央と対応する位置に設けられていることを特徴とする請求項１に記載のラップフィルム用収容箱。
【請求項３】
カッターが蓋体の先端に設けられていることを特徴とする請求項１または２に記載のラップフィルム用収容箱。
【発明の詳細な説明】
【技術分野】
【０００１】
本発明は、ラップフィルムを収納するための収納箱に関する。
【背景技術】
【０００２】
一般にロール状に巻かれたラップフィルムを収納する箱としては、ロール状に巻かれたラップフィルムを収納するための紙製の箱本体と、この箱本体の開口部に一体に設けられた蓋体とから構成され、蓋体の先端には、箱本体内から引き出されたラップフィルムをカットするためのカッターが取り付けられている。（特許文献１参照）
【特許文献１】特開２００２−２７４５３３号  以上の収納箱にあっては、収納箱からラップフィルムを取り出す場合には、まず蓋体を箱本体に対して持ち上げて、ラップフィルムの先端部を箱本体の外に出すと共に、フィルムの先端部を指で摘んで、フィルムを所定長さ引き出した後、蓋体を閉じて引き出したフィルムをカッターにより切断するようにしている。
【０００３】
ところで、以上のごとくラップフィルムを切断すると、箱本体内のラップフィルムの先端部は蓋体の先端部と箱本体の外面との間に残るラップフィルムの先端部が箱本体の外面に張り付いた状態となり易い。
【０００４】
そしてフィルムの先端部が箱本体の外面に密着すると、再度、ラップフィルムを箱本体から取り出したい時に、ラップフィルムの先端部を指で摘むことが困難となるのであって、特に、お年よりや子供、あるいは目の不自由な人にとっては、フィルム先端部を見つけることが難しくて、箱本体からのラップフィルムの引出しに手間がかかり、場合によってはラップフィルムの取り出しが行なえなくなることもある。
【発明の開示】
【発明が解決しようとする課題】
【０００５】
本発明は以上の実情に鑑みて開発したものであって、目的とするところは、ラップフィルムの端部を簡単に指で摘み取れるようにして、ラップフィルム箱本体から容易に取り出すことが出来るラップフィルムの収納箱を提供することにある。
【課題を解決するための手段】
【０００６】
以上の目的を達成するため、請求項１に記載の発明は、ロール状に巻かれたラップフィルムを収納するための箱本体と、箱本体の開口を開閉するための蓋体と、箱本体から引き出されたラップフィルムをカットするためのカッターとが備えられたラップフィルム用収納箱において、箱本体における該箱本体から引き出されているラップフィルムの先端部と対応する位置に、箱本体の外面に対して内方に窪んでなる指挿入凹部の形成部が設けられていることを特徴とするものである。
【０００７】
請求項２に記載の発明は、請求項１に記載の指挿入凹部が、ラップフィルムの先端縁の長さ方向中央と対応する位置に設けられていることを特徴とするものである。
【０００８】
また請求項３に記載の発明は、請求項１または２に記載のカッターが蓋の先端に設けられていることを特徴とするものである。
【０００９】
請求項３に記載のように、カッターが蓋体の先端に設けられている場合には、ラップフィルムが箱本体の外面に押し付けられて密着する傾向が高くなるので、特に有効となる。
【発明の効果】
【００１０】
請求項１に記載の発明によれば、ラップフィルムを引き出す際に例えば人差し指を指挿入凹部に挿入するだけで、ラップフィルムの先端部を容易に摘むことが出来るので、老人や子供でもラップフィルムの取り出しを簡単に行なうことが出来る。
【００１１】
請求項２に記載の発明によれば、請求項１に記載の発明の効果に加え、ラップフィルムの取り出しがより一層確実に行なうことが出来る。
【００１２】
請求項３に記載の発明によれば、請求項１または２に記載の発明の効果に加え、箱本体の外面に密着し易いラップフィルムの取り出しがスムーズに行なえる。
【発明を実施するための最良の形態】
【００１３】
図１〜図４に示すラップフィルム用収容箱は、円筒状の紙管１０にロール状に巻かれたラップフィルム１を収納するための箱本体２と、箱本体２の一側部に設けられている開口部２１を開閉するための蓋体３と、箱本体２から引き出されるラップフィルム１をカットするためのカッター４とから構成されている。
【００１４】
箱本体２及び蓋体３は、コートボール紙から作成されている。
【００１５】
箱本体２は、横長の略直方体に形成されて、その一側、具体的には上壁部がラップフィルム１を引き出すための開口部２１として開放されている。
【００１６】
蓋体３は、箱本体２における開口部２１の開口縁から一体に延びて、開口部２１を覆うための覆い部３１と、閉鎖時、前記開口部２１の開口縁に連続する箱本体２における前壁部２２の外面に対向する対向部３２とから構成されている。
【００１７】
そしてこの蓋体３は、開口部２１の開口縁を支点にして揺動可能であり、この蓋体３における対向部３２の先端には、引き出されたラップフィルム１を切断するための鋸刃状のカッター４が取り付けられている。
【００１８】
尚、図示しないが、蓋体３の先端部は、既知の通り、開封片（図示せず）により箱本体２に固定され、この開封片の取り外しに伴い、蓋体３が箱本体２に対して揺動できるようにしている。
【００１９】
また箱本体２における前壁部２２の外面で且つカッター４とほぼ対応する位置には、ラップフィルム１４の先端部を箱本体２に止めるための粘着層２３が設けられている。
【００２０】
粘着層２２は、カッター４によるラップフィルム１の切断後に、ラップフィルム１の先端部が箱本体２の外面に対して剥離可能に保持されるようにしている。
【００２１】
以上の構成からなるラップフィルム用収容箱において、本発明は、箱本体２における該箱本体２から引き出されているラップフィルム１の先端部と対応する位置に、箱本体２の外面に対して内方に窪んでなる指挿入凹部５の形成部５０が設けられたのである。
【００２２】
即ち、図１〜図４に示す実施形態では、箱本体２における前壁部２２の幅方向中央部位に、正面視三角形の三辺に沿うミシン目の切取ライン５１を刻設して、この切取ライン５１内を指挿入凹部５の形成部５０とし、この形成部５０を切取ライン５１に沿って前壁部２２から取り外すことで、前壁部２２の幅方向中央に、箱本体２内に窪む指挿入凹部５が開設されるようにしている。
【００２３】
更に詳述すれば、この指挿入凹部５は、蓋体３が閉じられた状態において、カッター４の刃先と交錯して開設されるようにしている。
【００２４】
次に、以上の構成から成る箱からラップフィルム１を引き出してカットする場合の作用について説明する。
【００２５】
尚、ラップフィルム１を引き出す前の状態は、ラップフィルム１が以前にカットされた状態とし、ラップフィルム１の先端部は、箱本体の前壁部２２と蓋体３を構成する対向部２２との間に配置されて、粘着層２３を介して前壁部２２に張り付いている。
【００２６】
そしてこの状態からラップフィルム１を箱本体１から引き出す場合、通常は箱本体２に対して蓋体８を開いて、ラップフィルム１４の先端部を指で摘んで所望の長さを引き出せばよいのであるが、ラップフィルム１の先端部は前壁部２２の外面に張り付いていることから、ラップフィルム１の先端部を掴むことが困難であり、その端縁の位置を見つけ出すこと自体も難しい。
【００２７】
しかしながら以上の収容箱では、ラップフィルム１の先端は、カッター４の刃先が臨むラインに一致し、しかも指挿入凹部５上を横切った位置に来ていることから、図３に示すように、例えば人差し指の先端部を指挿入凹部５に挿入すれば、この人差し指と親指とで、ラップフィルム１の先端部を確実且つ容易に摘んで、引き出すことが出来るのである。
【００２８】
しかも以上の実施形態では、指挿入凹部５が、箱本体２における前壁部の幅方向中央に設けられているので、ラップフィルム１の幅方向中央を摘むことが出来、箱本体１からのラップフィルム１の引き出しがスムーズに行なうことが出来る。
【００２９】
以上の実施形態では、カッター４が蓋体３における対向部３２の先端に取り付けたが、箱本体２側にカッター４を取り付けたラップフィルム用収容箱であっても本発明は適用可能である。
【００３０】
また、指挿入凹部５は一カ所に限られず、複数箇所に設けてもよい。
【００３１】
また以上の実施形態では、指挿入凹部５の形状を正面視三角形に形成したが、これに限定されるものではなく、長方形としてもよいし、あるいは台形にしてもよい。
【００３２】
また以上の実施形態では、箱本体２における前壁部２２に、正面視三角形の三辺に沿うミシン目場の切取ライン５１を刻設して、この切取ライン５１内を指挿入凹部５の形成部５０とし、この形成部５０を切取ライン５１に沿って前壁部２２から取り外すことで、前壁部２２の幅方向中央に、箱本体２内に窪む指挿入凹部５が開設されるようにしたが、これに限定されるものではなく、例えば図５及び図６に示すように、箱本体２の前壁部２２に略逆Ｕ字状の切取ライン５１を刻設して、この切取ライン５１内を指挿入凹部５の形成部５０とし、この形成部５０を切取ライン５１に沿って切断して、この形成部を箱本体２内に強制的に押し込むことで、前壁部２２に、箱本体２内に窪む指挿入凹部５が開設されるようにしてもよい。
【図面の簡単な説明】
【００３３】
【図１】蓋体を開けた状態のラップフィルム用収容箱の斜視図。
【図２】ラップフィルム用収容箱の断面図。
【図３】ラップフィルム用収容箱の使用例を示す斜視図。
【図４】ラップフィルム用収容箱の使用例を示す断面図。
【図５】ラップフィルム用収容箱の別の実施形態を示す蓋体を開けた状態の斜視図。
【図６】指挿入凹部を開設した状態のラップフィルム用収容箱の断面図。
【符号の説明】
【００３４】
１        ラップフィルム
２        箱本体
２１      開口部
３        蓋体
４        カッター
５        指挿入凹部
【図１】
2005247403.tif 000003
【図２】
2005247403.tif 000004
【図３】
2005247403.tif 000005
【図４】
2005247403.tif 000006
【図５】
2005247403.tif 000007
【図６】
2005247403.tif 000008